(57)【要約】【課題】開口枠の縦枠部をサッシ枠の縦枠部により好適に位置保持することができる壁構造を提供する。【解決手段】外壁部１１は、内壁パネル３２を有している。内壁パネル３２は、内壁面材４１と内壁下地４２とを有しており、内壁下地４２は、ランナ４３〜４６及びスタッド４７を有している。外壁部１１には、窓部１２が形成されており、窓部１２には窓枠５２が設けられている。外壁部１１においては、内壁面材４１よりも屋外側に柱１３が配置されており、窓枠５２は柱１３に横並びに配置されている。サッシ枠５１は、その縦枠部５１ａから屋内側に向けて突起した一対の突起部を有しており、これら突起部の間には、窓枠５２の縦枠部５２ａが屋内側から入り込んでいる。一対の突起部のうち柱側突起部は、装着部材を含んで構成されており、その装着部材は一対の突起部の離間距離が小さくなるように調整している。【選択図】      図１
2014189984.tif 000002
【特許請求の範囲】
【請求項１】
屋外側に配置された外壁パネルと、前記外壁パネルの屋内側に配置された内壁パネルとを有する外壁部に、壁開口部が設けられている建物の壁構造であって、
前記壁開口部には、前記外壁パネルに連結されたサッシ枠と、該サッシ枠の屋内側に配置され且つ前記内壁パネルに連結された開口枠とが設けられており、
前記サッシ枠及び前記開口枠は、上下方向に延びる縦枠部をそれぞれ有しており、
前記サッシ枠は、当該サッシ枠の前記縦枠部から屋内側に向けて突起した一対の突起部を有しており、それら突起部は、壁幅方向において所定間隔で配置されており、
前記開口枠の前記縦枠部は、屋内側から前記一対の突起部の間に入り込んだ入り込み部を有しており、
前記一対の突起部の間の離間距離、及び前記入り込み部の幅寸法の少なくとも一方が調整部により調整されていることで、前記入り込み部が前記一対の突起部に対して嵌め込まれた状態になっていることを特徴とする建物の壁構造。
【請求項２】
前記外壁パネルは、前記サッシ枠が固定された外壁下地と、該外壁下地の屋外側に配置された外壁面材とを有しており、
前記内壁パネルは、前記開口枠が固定された内壁下地と、該内壁下地の屋内側に配置された内壁面材とを有しており、
前記外壁面材と前記内壁面材とは、柱を挟んで対向する一対の壁面材とされており、
前記一対の壁面材の間には、前記柱と前記開口枠の前記縦枠部との間の隙間に入り込んでいる壁断熱部が設けられており、該壁断熱部における前記柱と前記開口枠の前記縦枠部との間に入り込んだ部分は所定の幅寸法を有しており、
前記壁断熱部の側面が、前記調整部と前記開口枠の前記縦枠部との少なくとも一方の側面に重ねられていることを特徴とする請求項１に記載の建物の壁構造。
【請求項３】
前記壁断熱部は、前記柱の屋外側に配置された柱側断熱部と、前記柱と前記縦枠部との間の隙間に入り込んでいる隙間断熱部とを有しており、
前記柱側断熱部と前記隙間断熱部とは、壁幅方向において横並びに配置され、互いに連続していることを特徴とする請求項２に記載の建物の壁構造。
【請求項４】
前記柱と前記開口枠との間の隙間には隙間部材が設けられており、
前記開口枠の前記縦枠部は、前記隙間部材を介して前記柱に固定されていることを特徴とする請求項２又は３に記載の建物の壁構造。
【請求項５】
前記内壁下地は、壁幅方向に沿って並べられ且つ前記内壁面材が取り付けられた複数のスタッドを有しており、
前記隙間部材は、前記複数のスタッドのうち、前記柱と前記開口枠との間の隙間に設けられた隙間スタッドであることを特徴とする請求項４に記載の建物の壁構造。
【請求項６】
前記一対の突起部のうち一方が第１突起部であり、他方が第２突起部であり、
前記第２突起部は、前記サッシ枠の前記縦枠部から屋内側に向けて突起した凸部と、該凸部に装着された装着部材とを有しており、
前記装着部材は、前記第１突起部と前記第２突起部との離間距離を、前記第１突起部と前記凸部との離間距離よりも小さくしている前記調整部であることを特徴とする請求項１乃至５のいずれか１項に記載の建物の壁構造。
【請求項７】
前記装着部材は、前記凸部を屋内側から覆った状態になっており、
前記第１突起部は、壁幅方向において前記入り込み部よりも前記壁開口部側に配置されており、
前記第２突起部は、壁幅方向において前記入り込み部を挟んで前記壁開口部とは反対側に配置されていることを特徴とする請求項６に記載の建物の壁構造。
【請求項８】
前記開口枠の前記縦枠部には、当該縦枠部の屋外側端面が屋内側に向けて凹んだ凹み部が設けられており、
前記凹み部は、前記入り込み部の幅寸法を前記一対の突起部の離間距離に合わせて小さくする前記調整部であることを特徴とする請求項１乃至７のいずれか１項に記載の建物の壁構造。
【請求項９】
前記開口枠の前記縦枠部において、前記凹み部は、前記入り込み部を挟んで前記壁開口部とは反対側に配置されていることを特徴とする請求項８に記載の建物の壁構造。
【発明の詳細な説明】
【技術分野】
【０００１】
本発明は、建物の壁構造に関するものである。
【背景技術】
【０００２】
住宅等の建物において、外壁部に窓部等の壁開口部が形成され、その壁開口部にサッシ枠とそのサッシ枠の屋内側に配置された開口枠とが設けられている場合、開口枠がサッシ枠により位置保持された状態になっていることがある。例えば、開口枠の縦枠部が壁開口部と柱との間に配置されており、その縦枠部がサッシ枠と柱との間に嵌め込まれた状態になっている構成がある（例えば特許文献１参照）。
【先行技術文献】
【特許文献】
【０００３】
【特許文献１】特開２００５−３２０８５３号公報
【発明の概要】
【発明が解決しようとする課題】
【０００４】
しかしながら、開口枠が柱から離間した位置に配置されている場合、開口枠の縦枠部をサッシ枠と柱との間に入り込ませることはできたとしても、その縦枠部がサッシ枠と柱との間に嵌め込まれた状態にはならない。したがって、開口枠の縦枠部をサッシ枠により位置保持する構成に関して改善の余地がある。
【０００５】
本発明は、上記事情に鑑みてなされたものであり、開口枠の縦枠部をサッシ枠の縦枠部により好適に位置保持することができる壁構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の壁構造は、屋外側に配置された外壁パネルと、前記外壁パネルの屋内側に配置された内壁パネルとを有する外壁部に、壁開口部が設けられている建物の壁構造であって、前記壁開口部には、前記外壁パネルに連結されたサッシ枠と、該サッシ枠の屋内側に配置され且つ前記内壁パネルに連結された開口枠とが設けられており、前記サッシ枠及び前記開口枠は、上下方向に延びる縦枠部をそれぞれ有しており、前記サッシ枠は、当該サッシ枠の前記縦枠部から屋内側に向けて突起した一対の突起部を有しており、それら突起部は、壁幅方向において所定間隔で配置されており、前記開口枠の前記縦枠部は、屋内側から前記一対の突起部の間に入り込んだ入り込み部を有しており、前記一対の突起部の間の離間距離、及び前記入り込み部の幅寸法の少なくとも一方が調整部により調整されていることで、前記入り込み部が前記一対の突起部に対して嵌め込まれた状態になっていることを特徴とする。
【０００８】
第１の発明によれば、サッシ枠が有する一対の突起部に対して開口枠の縦枠部の入り込み部が嵌合しているため、開口枠の縦枠部をサッシ枠により好適に位置保持することができる。しかも、入り込み部が一対の突起部に嵌合するように、入り込み部の幅寸法や一対の突起部の離間距離が調整部により調整されているため、例えば、サッシ枠や開口枠が汎用品である場合や、別々のメーカにより製造された場合など、開口枠の入り込み部とサッシ枠の一対の突起部とが互いに適合していない場合でも、開口枠の入り込み部をサッシ枠の一対の突起部に嵌合させることが可能になる。したがって、開口枠の縦枠部をサッシ枠の縦枠部により好適に位置保持することができる。
【０００９】
第２の発明では、第１の発明において、前記外壁パネルは、前記サッシ枠が固定された外壁下地と、該外壁下地の屋外側に配置された外壁面材とを有しており、前記内壁パネルは、前記開口枠が固定された内壁下地と、該内壁下地の屋内側に配置された内壁面材とを有しており、前記外壁面材と前記内壁面材とは、柱を挟んで対向する一対の壁面材とされており、前記一対の壁面材の間には、前記柱と前記開口枠の前記縦枠部との間の隙間に入り込んでいる壁断熱部が設けられており、該壁断熱部における前記柱と前記開口枠の前記縦枠部との間に入り込んだ部分は所定の幅寸法を有しており、前記壁断熱部の側面が、前記調整部と前記開口枠の前記縦枠部との少なくとも一方の側面に重ねられている。
【００１０】
開口枠と壁断熱部とが横並びに配置されている構成では、開口枠の縦枠部がサッシ枠の一対の突起部の間に入り込んでいることで、開口枠と壁断熱部との間に隙間（非断熱領域）が生じて外壁部の断熱性能が低下することが懸念される。これに対して、第２の発明によれば、壁断熱部が開口枠の縦枠部及び調整部の少なくとも一方に当接しているため、開口枠と壁断熱部との間が非断熱領域にならないようになっている。したがって、開口枠の縦枠部がサッシ枠の縦枠部により位置保持されている構成において、外壁部の断熱性能が低下することを抑制できる。
【００１１】
なお、開口枠の縦枠部及び調整部のうち調整部だけが壁断熱部に当接している場合、調整部は、熱伝導率が低い合成樹脂材料などの材料により形成されていることが好ましい。
【００１２】
第３の発明では、第２の発明において、前記壁断熱部は、前記柱の屋外側に配置された柱側断熱部と、前記柱と前記縦枠部との間の隙間に入り込んでいる隙間断熱部とを有しており、前記柱側断熱部と前記隙間断熱部とは、壁幅方向において横並びに配置され、互いに連続している。
【００１３】
第３の発明によれば、隙間断熱部及び柱側断熱部といった２つの断熱部が壁幅方向に並べて配置されているため、柱の屋外側に配置された１つの断熱部が柱と開口枠との間に入り込んでいる構成に比べて、柱と縦枠部との間において、柱や縦枠部、調整部の各側面に密着しやすくなっている。したがって、壁断熱部による外壁部の断熱性能を高めることができる。
【００１４】
第４の発明では、第２又は３の発明において、前記柱と前記開口枠との間の隙間には隙間部材が設けられており、前記開口枠の前記縦枠部は、前記隙間部材を介して前記柱に固定されている。
【００１５】
開口枠がサッシ枠により位置保持されているだけでは、開口枠の設置状態の安定性が不足することが懸念される。これに対して、第４の発明によれば、開口枠が柱に固定されているため、開口枠の設置状態の安定性を高めることができる。また、開口枠と柱との間に壁断熱部が入り込んでいる構成においては、開口枠を柱に固定できないことが懸念されるが、これに対しても、開口枠と柱との間に隙間部材が設けられているため、その隙間部材を介して開口枠を柱に適正な状態で固定することができる。
【００１６】
第５の発明では、第４の発明において、前記内壁下地は、壁幅方向に沿って並べられ且つ前記内壁面材が取り付けられた複数のスタッドを有しており、前記隙間部材は、前記複数のスタッドのうち、前記柱と前記開口枠との間の隙間に設けられた隙間スタッドである。
【００１７】
第５の発明では、隙間スタッドは、内壁面材が取り付けられていることに起因して、開口枠と柱との間において屋内寄りの位置に配置されている。この場合、隙間スタッドに固定されるのは、開口枠の縦枠部における屋内側の部分になるため、その縦枠部における屋外側の部分がサッシ枠の一対の突起部により位置保持されていることで、開口枠の設置状態の安定性を高めることができる。
【００１８】
第６の発明では、第１乃至第５のいずれかの発明において、前記一対の突起部のうち一方が第１突起部であり、他方が第２突起部であり、前記第２突起部は、前記サッシ枠の前記縦枠部から屋内側に向けて突起した凸部と、該凸部に装着された装着部材とを有しており、前記装着部材は、前記第１突起部と前記第２突起部との離間距離を、前記第１突起部と前記凸部との離間距離よりも小さくしている前記調整部である。
【００１９】
第６の発明によれば、開口枠の入り込み部の幅寸法が、サッシ枠における第１突起部と第２突起部の凸部との離間距離よりも小さい場合に、凸部に装着部材が装着されることで、入り込み部を一対の突起部に嵌合させることができる。つまり、開口枠の縦枠部がサッシ枠により位置保持される構成を装着部材により実現できる。
【００２０】
第７の発明では、第６の発明において、前記装着部材は、前記凸部を屋内側から覆った状態になっており、前記第１突起部は、壁幅方向において前記入り込み部よりも前記壁開口部側に配置されており、前記第２突起部は、壁幅方向において前記入り込み部を挟んで前記壁開口部とは反対側に配置されている。
【００２１】
第７の発明によれば、装着部材を有する第２突起部が開口枠の縦枠部を挟んで壁開口部とは反対側に配置されているため、その縦枠部により壁開口部側から装着部材を覆い隠すことができる。したがって、壁開口部の意匠性が装着部材により低下するということを抑制できる。
【００２２】
第８の発明では、第１乃至第７のいずれかの発明において、前記開口枠の前記縦枠部には、当該縦枠部の屋外側端面が屋内側に向けて凹んだ凹み部が設けられており、前記凹み部は、前記入り込み部の幅寸法を前記一対の突起部の離間距離に合わせて小さくする前記調整部である。
【００２３】
第８の発明によれば、開口枠の縦枠部の幅寸法が、サッシ枠の一対の突起部の離間距離よりも大きい場合に、縦枠部に凹み部が設けられていることで、その縦枠部の入り込み部を一対の突起部に嵌合させることができる。つまり、開口枠の縦枠部がサッシ枠により位置保持される構成を縦枠部の凹み部により実現できる。
【００２４】
第９の発明では、第８の発明において、前記開口枠の前記縦枠部において、前記凹み部は、前記入り込み部を挟んで前記壁開口部とは反対側に配置されている。
【００２５】
第９の発明によれば、開口枠の縦枠部の凹み部が壁開口部とは反対側に配置されているため、その凹み部をサッシ枠により屋外側から覆い隠すことが可能になる。壁開口部の意匠性がその縦枠部の凹み部により低下するということを抑制できる。
【図面の簡単な説明】
【００２６】
【図１】外壁部の正面図
【図２】図１のＡ−Ａ線断面図
【図３】サッシ枠の縦枠部を分解した状態のＡ−Ａ線断面図
【図４】連結部材の構成を示す図
【図５】別の外壁部の横断面図
【図６】別の外壁部の斜視図
【図７】別の外壁部の横断面図
【図８】別の外壁部の正面図
【発明を実施するための形態】
【００２７】
以下、本発明を具体化した一実施形態について図面を参照しつつ説明する。本実施形態では、本発明の壁構造を建物の外壁部において具体化している。図１は外壁部１１の正面図、図２は図１のＡ−Ａ線断面図である。なお、図１は、外壁部１１を屋内側から見た図であり、外壁部１１の内部構造を部分的に示す破断図になっている。
【００２８】
図１に示すように、建物の外壁部１１には、壁開口部としての窓部１２が設けられている。建物においては、複数の柱１３が外壁部１１に沿って所定間隔で設けられており、窓部１２は、隣り合う柱１３の間に配置されている。各柱１３は、屋内空間の床部１５と天井部１６とに掛け渡された状態になっている。
【００２９】
天井部１６は、天井下地材としての野縁２１と、野縁２１に取り付けられた天井面材２２とを有している。天井面材２２は、石膏ボード等により形成されており、野縁２１の下側に配置されている。野縁２１の上側には、野縁２１を支持する野縁受け２３が設けられている。野縁受け２３は、隣り合う柱１３に掛け渡された状態になっており、それら柱１３の上端部分の側面に固定されている。なお、野縁２１は、金具２４を介して野縁受け２３に連結されている。金具２４は、野縁２１及び野縁受け２３のそれぞれに対してビス等により固定されている。
【００３０】
図２に示すように、外壁部１１は、屋外側に設けられた外壁パネル３１と、屋内側に設けられた内壁パネル３２とを有している。外壁パネル３１は、窯業系サイディングボード等の外装材により形成された外壁面材３４と、外壁面材３４を支持する外壁下地としての外壁フレーム３５とを有している。外壁面材３４は、外壁フレーム３５の屋外側に配置されている。外壁フレーム３５は、外壁部１１の幅方向に延びる横フレーム材３６と、壁高さ方向に延びる縦フレーム材３７とを有している。これらフレーム材３６，３７は、いずれも外壁面材３４に沿って延びており、外壁面材３４の屋内側面に取り付けられている。
【００３１】
内壁パネル３２は、石膏ボード等の内装材により形成された内壁面材４１と、内壁面材４１を支持する内壁下地４２とを有している。内壁面材４１は、内壁下地４２の屋内側に配置されている。内壁下地４２は、外壁部１１の幅方向に延びる下地横材としてのランナ４３〜４６（ランナ４３，４５，４６は図１参照）と、外壁部１１の高さ方向に延びる下地縦材としてのスタッド４７とを有している。これらランナ４３〜４６及びスタッド４７は、いずれも内壁面材４１に沿って延びており、内壁面材４１の屋外側面に取り付けられている。
【００３２】
外壁部１１においては、外壁面材３４と内壁面材４１とが互いに対向する一対の壁面材となっている。外壁部１１は、外壁面材３４と内壁面材４１との間に設けられた壁断熱部４８を有している。壁断熱部４８は、内壁面材４１の屋外側面に沿って延びており、壁断熱部４８と外壁面材３４との間には壁内空間４９が設けられている。壁内空間４９は、外壁面材３４の屋内側面に沿って延びており、外壁フレーム３５は壁内空間４９に設置されていることになる。
【００３３】
また、外壁部１１においては、外壁面材３４と内壁面材４１との間に柱１３が配置されている。柱１３は、壁内空間４９よりも屋内側に配置されており、壁断熱部４８により屋外側から覆われた状態になっている。
【００３４】
窓部１２には、サッシ戸やガラス戸が取り付けられたサッシ枠５１と、そのサッシ枠５１の屋内側に配置された窓枠５２とが設けられている。この場合、サッシ枠５１を屋外側枠と称し、窓枠５２を屋内側枠と称することもできる。サッシ枠５１は、矩形枠状に形成されており、外壁フレーム３５に固定されている。サッシ枠５１は、壁高さ方向に延びる一対の縦枠部５１ａと、それら縦枠部５１ａの上端部同士を連結する上枠部５１ｂと、下端部同士を連結する下枠部５１ｃとを有している。
【００３５】
窓枠５２は、サッシ枠５１と同様に矩形枠状に形成されており、壁厚み方向においてサッシ枠５１に重ねられた状態で内壁下地４２に固定されている。窓枠５２は、サッシ枠５１と同様に、壁高さ方向に延びる一対の縦枠部５２ａと、それら縦枠部５２ａの上端部同士を連結する上枠部５２ｂと、下端部同士を連結する下枠部５２ｃとを有している。窓枠５２は、壁幅方向において柱１３に横並びに配置されている。窓枠５２の幅寸法は、その窓枠５２を挟んで隣り合う柱１３の離間距離よりも小さくされており、それら柱１３と窓枠５２との間には隙間が確保されている。なお、窓枠５２が開口枠に相当する。
【００３６】
窓枠５２の縦枠部５２ａは、内壁面材４１と同様に、石膏ボード等の内装材により形成されている。この縦枠部５２ａにおける窓部１２とは反対側の側面に、内壁面材４１の側端面が重ねられている。なお、内壁面材４１及び縦枠部５２ａには、クロスや壁紙といった化粧材が貼り付けられている。化粧材は、内壁面材４１と縦枠部５２ａとの境界部を跨いだ状態になっており、内壁面材４１と縦枠部５２ａとがあたかも一体的に形成されているかのような外見になっている。これにより、窓枠５２が目立ちにくくなっている。
【００３７】
サッシ枠５１は、その縦枠部５１ａから屋内側に向けて突起した一対の突起部５３ａ，５３ｂを有しており、これら突起部５３ａ，５３ｂの間には、窓枠５２の縦枠部５２ａが屋内側から入り込んでいる。ここで、壁幅方向において、窓枠５２の縦枠部５２ａの幅寸法Ｌ１は、一対の突起部５３ａ，５３ｂの離間距離と同じ又はそれよりも若干大きくされており、縦枠部５２ａは、屋内側から一対の突起部５３ａ，５３ｂの間に押し込まれることでそれら突起部５３ａ，５３ｂの間に嵌め込まれた状態になっている。また、一対の突起部５３ａ，５３ｂは上下方向に沿って延びており、窓枠５２の縦枠部５２ａのほぼ全体を嵌合させた状態になっている。なお、窓枠５２の縦枠部５２ａにおいては、その屋外側部分がサッシ枠５１の一対の突起部５３ａ，５３ｂの間に入り込んだ入り込み部に相当する。
【００３８】
サッシ枠５１の縦枠部５１ａは、縦枠本体５５ａと、窓枠５２の縦枠部５２ａの屋外側端面を覆う被覆部材５５ｂと、縦枠本体５５ａと被覆部材５５ｂとの境界部分を覆うカバー部材５５ｃとを有している。被覆部材５５ｂにおいては、その一部が縦枠本体５５ａの窓部１２側の側面に重ねられており、その重ねられた部分がビス５６により固定されている。ビス５６は、被覆部材５５ｂを縦枠本体５５ａに固定するとともに、縦枠本体５５ａを外壁フレーム３５の縦フレーム材３７に固定しており、カバー部材５５ｃにより窓部１２側から覆い隠されている。
【００３９】
一対の突起部５３ａ，５３ｂのうち、窓枠５２の縦枠部５２ａよりも窓部１２側に配置された窓側突起部５３ａは、被覆部材５５ｂに含まれている。被覆部材５５ｂは、窓枠５２の縦枠部５２ａよりも屋外側において壁幅方向に沿って延びている部分と、縦枠部５２ａよりも窓部１２側において壁厚み方向に延びている部分とを有しており、それら部分のうち壁厚み方向に延びている部分（凸部）が窓側突起部５３ａになっている。
【００４０】
一方、窓枠５２の縦枠部５２ａを挟んで窓部１２とは反対側（縦枠部５２ａよりも柱１３側）に配置された柱側突起部５３ｂは、縦枠本体５５ａに含まれている凸部５７と、その凸部５７に装着された装着部材５８とを有している。縦枠本体５５ａは、窓枠５２の縦枠部５２ａよりも屋外側において壁幅方向に沿って延びている部分と、縦枠部５２ａを挟んで窓部１２とは反対側において壁厚み方向に延びている部分とを有しており、それら部分のうち壁厚み方向に延びている部分が凸部５７になっている。
【００４１】
装着部材５８は、屋内側に向けて凹んだ凹部５８ａを有しており、その凹部５８ａに縦枠本体５５ａの凸部５７を挿入させることでその凸部５７に装着されている。凸部５７と凹部５８ａとは互いに係止する構成になっており、それら凸部５７と凹部５８ａとが係止することで凸部５７に対する装着部材５８の装着状態が解除されにくくなっている。
【００４２】
装着部材５８は、縦枠本体５５ａの凸部５７を屋内側から覆った状態になっている。この場合、装着部材５８が柱側突起部５３ｂの外周面を形成しており、装着部材５８と窓側突起部５３ａとの離間距離が、柱側突起部５３ｂと窓側突起部５３ａとの離間距離になっている。つまり、装着部材５８と窓側突起部５３ａとの離間距離が、窓枠５２の縦枠部５２ａの幅寸法Ｌ１になっている。
【００４３】
その一方で、窓枠５２の縦枠部５２ａの幅寸法Ｌ１は、柱側突起部５３ｂの凸部５７と窓側突起部５３ａとの離間距離Ｌ２よりも小さくなっている。この場合、装着部材５８は、柱側突起部５３ｂと窓側突起部５３ａとの離間距離を、凸部５７と窓側突起部５３ａとの離間距離Ｌ２よりも小さくしている調整部に相当する。ここで、凸部５７に装着部材５８が装着されていない状態では、窓側突起部５３ａと凸部５７との間に窓枠５２の縦枠部５２ａを入り込ませることはできても、縦枠部５２ａが窓側突起部５３ａ及び凸部５７のうち一方にしか当接せず、それら窓側突起部５３ａと凸部５７との間に縦枠部５２ａが嵌め込まれた状態にはならない。
【００４４】
なお、装着部材５８は、壁厚み方向に延びている部分と、縦枠部５２ａよりも屋外側において壁幅方向に延びている部分とを有しており、壁厚み方向に延びている部分が凸部５７を屋内側から覆っている。つまり、壁厚み方向に延びている部分に凹部５８ａが形成されている。また、窓側突起部５３ａが第１突起部に相当し、柱側突起部５３ｂが第２突起部に相当する。
【００４５】
壁断熱部４８は、柱１３と窓枠５２との間に屋外側から入り込んでいる。この場合、壁断熱部４８は、壁幅方向において柱側突起部５３ｂと柱１３との間に入り込んだ状態になっており、窓枠５２の縦枠部５２ａからは柱１３側に離間している。壁断熱部４８の側面は、サッシ枠５１の柱側突起部５３ｂ（装着部材５８）の側面に重ねられており、その重ねられた部分において壁断熱部４８は装着部材５８に密着している。ここで、装着部材５８は、合成樹脂材料などの熱伝導率が比較的低い材料により形成されており、壁断熱部４８と窓枠５２との間の隙間を埋めた状態になっている。このため、壁断熱部４８と窓枠５２との間に隙間が存在していても、その隙間により外壁部１１の断熱性能が低下するということが装着部材５８により抑制されている。
【００４６】
ここで、外壁フレーム３５に対するサッシ枠５１の縦枠部５１ａの組み立て手順について、図３を参照しつつ説明する。図３は、サッシ枠５１の縦枠部５１ａを分解した状態のＡ−Ａ線断面図である。
【００４７】
図３において、まず、被覆部材５５ｂを縦枠本体５５ａに固定する作業と、縦枠本体５５ａを縦フレーム材３７に固定する作業を、ビス５６を用いてまとめて行う。これにより、サッシ枠５１の縦枠部５１ａに窓側突起部５３ａを形成する。その後、カバー部材５５ｃを縦枠本体５５ａ及び被覆部材５５ｂに対して取り付けることで、ビス５６を窓部１２側から覆い隠す。
【００４８】
図３では、窓枠５２及び壁断熱部４８が設置されたような図になっているが、それら窓枠５２及び壁断熱部４８を設置するよりも前に、縦枠本体５５ａの凸部５７に装着部材５８を装着し、それによって、サッシ枠５１の縦枠部５１ａに柱側突起部５３ｂを形成する。そして、窓側突起部５３ａと柱側突起部５３ｂとの間に窓枠５２の縦枠部５２ａを屋内側から嵌合させ、柱側突起部５３ｂを挟んで窓部１２とは反対側に壁断熱部４８を設置する。
【００４９】
図１の説明に戻り、ランナ４３〜４６のうち、天井部１６に沿って延びている上ランナ４３と、床部１５に沿って延びている下ランナ４４とは、上下に配置された一対のランナになっている。上ランナ４３及び下ランナ４４は、断面コ字状の軽量溝形鋼により形成されている。上ランナ４３は、溝部を下方に向けた状態で、野縁２１の下面に対して固定されている。この場合、上ランナ４３は、野縁受け２３に沿って延びており、野縁２１を介して野縁受け２３に固定されていることになる。下ランナ４４は、溝部を上方に向けた状態で、床部１５の上面に対して固定されている。この場合、上ランナ４３の溝部と下ランナ４４の溝部とは互いに向かい合っている。
【００５０】
窓部１２は、上ランナ４３と下ランナ４４との間に配置されており、ランナ４３〜４６のうち、上ランナ４３と下ランナ４４との間に配置された中間ランナ４５，４６は、窓枠５２に沿って延びている。中間ランナ４５，４６は、ランナ４３，４４と同様に、断面コ字状の軽量溝形鋼により形成されている。中間ランナ４５，４６は、壁幅方向において窓枠５２よりも側方に突出していない。これに対して、上ランナ４３及び下ランナ４４は、窓枠５２よりも側方に突出している。
【００５１】
中間ランナ４５，４６のうち、窓枠５２の上側に配置された上側中間ランナ４５は、窓枠５２の上枠部５２ｂに沿って延びている。上側中間ランナ４５は、溝部を上方に向けた状態で設けられており、上枠部５２ｂは、上側中間ランナ４５の下面に固定されている。この場合、上側中間ランナ４５の溝部と上ランナ４３の溝部とは互いに向かい合っている。
【００５２】
中間ランナ４５，４６のうち、窓枠５２の下側に配置された下側中間ランナ４６は、窓枠５２の下枠部５２ｃに沿って延びている。下側中間ランナ４６は、溝部を下方に向けた状態で設けられており、下枠部５２ｃは、下側中間ランナ４６の上面に固定されている。この場合、下側中間ランナ４６の溝部と下ランナ４４の溝部とは互いに向かい合っている。
【００５３】
スタッド４７は、断面矩形状の軽量角形鋼により形成されており、中空部を有する筒状部材になっている。スタッド４７は、壁幅方向に沿って所定間隔で複数並べて設けられており、それらスタッド４７には、窓部１２に上下に並ぶ位置に設けられた短尺スタッド４７Ａと、窓枠５２と柱１３との間の隙間に設けられた隙間スタッド４７Ｂとが含まれている。
【００５４】
短尺スタッド４７Ａは、窓部１２の上方及び下方のそれぞれにおいて複数設けられている。窓部１２の上方に設けられた短尺スタッド４７Ａは、上ランナ４３と上側中間ランナ４５とに掛け渡されており、それら上ランナ４３及び上側中間ランナ４５の各溝部に入り込んでいる。一方、窓部１２の下方に設けられた短尺スタッド４７Ａは、下ランナ４４と下側中間ランナ４６とに掛け渡されており、それら下ランナ４４と下側中間ランナ４６の各溝部に入り込んでいる。なお、短尺スタッド４７Ａは、断面長方形状に形成されており、その長辺が壁幅方向に沿って延びる向きで設置されている。
【００５５】
隙間スタッド４７Ｂは、窓部１２の側方に配置されており、上ランナ４３と下ランナ４４とに掛け渡されている。この場合、隙間スタッド４７Ｂは、上ランナ４３及び下ランナ４４における窓枠５２よりも側方に突出した各部分に掛け渡されていることになる。隙間スタッド４７Ｂは、短尺スタッド４７Ａと同様に、上ランナ４３及び下ランナ４４の各溝部に入り込んでいる。なお、隙間スタッド４７Ｂは、断面長方形状に形成されており、その長辺が壁幅方向に沿って延びる向きで設置されている。
【００５６】
窓枠５２は、内壁下地４２に固定されている。窓枠５２の縦枠部５２ａは、その側面が隙間スタッド４７Ｂの側面に重ねられた状態でその隙間スタッド４７Ｂにビス等により固定されている。上枠部５２ｂは、その上面が上側中間ランナ４５の下面に重ねられた状態でその上側中間ランナ４５にビス等により固定されている。下枠部５２ｃは、その下面が下側中間ランナ４６の上面に重ねられた状態でその下側中間ランナ４６にビス等により固定されている。
【００５７】
なお、複数の短尺スタッド４７Ａのうち隙間スタッド４７Ｂに隣り合う短尺スタッド４７Ａは、金具５９を介して隙間スタッド４７Ｂに連結されている。金具５９は、短尺スタッド４７Ａ及び隙間スタッド４７Ｂのそれぞれに対して溶接等により固定されている。
【００５８】
図２に示すように、壁厚み方向において、隙間スタッド４７Ｂの厚み寸法Ｄ１（例えば４０ｍｍ）は、上ランナ４３及び下ランナ４４の各溝部の厚み寸法Ｄ２（例えば４５ｍｍ）よりも小さくされている。なお、ランナ４３〜４６の各溝部の厚み寸法は同じにされている。つまり、中間ランナ４５，４６の各溝部の厚み寸法も隙間スタッド４７Ｂの厚み寸法Ｄ１よりも大きくなっている。また、ランナ４３〜４６は、ウェブと、そのウェブを挟んで配置された一対のフランジとを有しており、それらフランジの間の離間距離（溝部の厚み寸法）が溝部の厚み寸法になっている。
【００５９】
短尺スタッド４７Ａの厚み寸法は、ランナ４３〜４６の各溝部の厚み寸法Ｄ２とほぼ同じにされている。短尺スタッド４７Ａにおいては、屋外側面及び屋内側面の両方がランナ４３〜４６の各フランジの内側面にそれぞれ重ねられており、その重ねられた部分において短尺スタッド４７Ａがランナ４３〜４６に溶接等により固定されている。なお、短尺スタッド４７Ａが厚みスタッドに相当する。
【００６０】
これに対して、隙間スタッド４７Ｂは、その屋内側面がランナ４３，４４における屋内側フランジの内側面に重なる位置に配置されており、その重ねられた部分において隙間スタッド４７Ｂが上ランナ４３及び下ランナ４４に溶接等により固定されている。この場合、隙間スタッド４７Ｂの屋外側面は、ランナ４３，４４における屋外側フランジから屋内側に向けて離間しており、その屋外側フランジには固定されていない。したがって、ランナ４３，４４に対する隙間スタッド４７Ｂの固定強度は、隙間スタッド４７Ｂの屋内側面及び屋外側面の両方がランナ４３，４４の各フランジに固定されている構成に比べて低くなっていると考えられる。この結果、隙間スタッド４７Ｂによる窓枠５２の支持強度が低下することが懸念される。
【００６１】
そこで、本実施形態では、隙間スタッド４７Ｂが連結部材６１を介して柱１３に連結されている。これにより、隙間スタッド４７Ｂによる窓枠５２の支持強度が低下することを抑制している。連結部材６１は、隙間スタッド４７Ｂに固定されたスタッド側固定部６２と、柱１３に固定された柱側固定部６３とを有している。スタッド側固定部６２は、柱側固定部６３から壁厚み方向に沿って延びており、隙間スタッド４７Ｂにおける柱１３側の側面に重ねられた状態で、第１ビス６５により隙間スタッド４７Ｂに固定されている。柱側固定部６３は、スタッド側固定部６２から壁幅方向に沿って延びており、柱１３における屋内側面に重ねられた状態で、第２ビス６６により柱１３に固定されている。なお、隙間スタッド４７Ｂが隙間部材に相当する。
【００６２】
ここでは、連結部材６１により連結された隙間スタッド４７Ｂと柱１３との連結構造について、図２、図４を参照しつつ説明する。図４は連結部材６１の構成を示す図であり、（ａ）に連結部材６１の斜視図を示し、（ｂ）に柱１３と隙間スタッド４７Ｂとの連結構造の分解斜視図を示す。
【００６３】
図４（ａ）に示すように、連結部材６１は、互いに直交する一対の板部を有しており、それら板部のうち一方がスタッド側固定部６２とされ、他方が柱側固定部６３とされている。連結部材６１は、短尺状のアングル材等の鋼材により形成されている。柱側固定部６３には、第２ビス６６のためのビス孔６３ａが設けられている。ビス孔６３ａは、スタッド側固定部６２からの柱側固定部６３の延出方向に沿って延びた長孔になっており、柱側固定部６３とスタッド側固定部６２との境界部に沿って複数並べられている。この場合、ビス孔６３ａは、壁幅方向に沿って水平方向に延びることになる。
【００６４】
スタッド側固定部６２には、第１ビス６５のためのビス孔６２ａが設けられている。ビス孔６２ａは、丸孔になっており、柱側固定部６３とスタッド側固定部６２との境界部に沿って複数並べられている。
【００６５】
図４（ｂ）に示すように、連結部材６１は、上下方向において所定間隔で複数並べて設けられている。連結部材６１においては、第２ビス６６が柱側固定部６３のビス孔６３ａを通じて柱１３に羅着されており、それによって、連結部材６１が柱１３に固定されている。また、第１ビス６５は、隙間スタッド４７Ｂを貫通してスタッド側固定部６２のビス孔６２ａに羅着されており、それによって、連結部材６１が隙間スタッド４７Ｂに固定されている。
【００６６】
隙間スタッド４７Ｂの外周部には、互いに対向する一対の側面部が含まれており、これら側面部のうち一方を第１ビス６５が貫通している。他方には、第１ビス６５の貫通部分と対向する位置に作業用開口６７が設けられており、その作業用開口６７を通じて第１ビス６５が隙間スタッド４７Ｂの中空部に差し入れられるとともに、第１ビス６５の羅着作業を行うためのドライバ等の工具が作業用開口６７を通じて隙間スタッド４７Ｂの中空部に差し入れられる。
【００６７】
図２に示すように、連結部材６１のスタッド側固定部６２は、屋内側から柱１３と隙間スタッド４７Ｂとの間に入り込んでおり、隙間スタッド４７Ｂの側面に重ねられている。ここで、壁幅方向において、隙間スタッド４７Ｂの幅寸法Ｗ１（例えば２５ｍｍ）は、窓枠５２の縦枠部５２ａと柱１３との離間距離Ｗ２よりも小さくされている。このように、隙間スタッド４７Ｂの幅寸法が縦枠部５２ａと柱１３との離間距離に合わせた大きさになっていなくても、連結部材６１が用いられることでその連結部材６１及び隙間スタッド４７Ｂを介して、縦枠部５２ａが柱１３に対して固定されていることになる。
【００６８】
隙間スタッド４７Ｂと柱１３との離間距離は、スタッド側固定部６２の厚み寸法よりも大きくされており、スタッド側固定部６２は、隙間スタッド４７Ｂの側面に重なった状態になっている一方で、柱１３からは隙間スタッド４７Ｂ側に離間している。なお、第１ビス６５は、スタッド側固定部６２のビス孔６２ａを貫通して柱１３側に突出しているが、その突出寸法がスタッド側固定部６２と柱１３との離間距離よりも小さくなっており、柱１３には羅着されていない。
【００６９】
内壁面材４１は、壁厚み方向において柱１３から屋内側に離間しており、その離間部分に連結部材６１の柱側固定部６３が入り込んだ状態になっている。この場合、内壁面材４１と柱１３との離間距離は、柱側固定部６３の厚み寸法より小さくされており、柱側固定部６３は内壁面材４１から屋外側に離間している。
【００７０】
連結部材６１のスタッド側固定部６２は、壁厚み方向において上ランナ４３及び下ランナ４４よりも屋外側には突出していない。連結部材６１においては、柱側固定部６３からのスタッド側固定部６２の延出寸法が、壁厚み方向における隙間スタッド４７Ｂの厚み寸法よりも小さくされている。この場合、連結部材６１は、壁断熱部４８よりも屋内側に配置されていることになる。
【００７１】
壁断熱部４８は、柱１３と窓枠５２の縦枠部５２ａとの間に屋外側から入り込んでいる隙間断熱部４８ａと、柱１３の屋外側に設けられた柱側断熱部４８ｂと、柱側断熱部４８ｂを挟んで隙間断熱部４８ａとは反対側に配置された主断熱部４８ｃとを有している。これら断熱部４８ａ〜４８ｃは、いずれも発泡系断熱材により板状に形成されており、互いの側面同士を重ねた状態で壁幅方向に沿って横並びに配置されている。つまり、断熱部４８ａ〜４８ｃは互いに連続した状態になっている。また、この場合、隙間断熱部４８ａにおける窓部１２側の側面が、サッシ枠５１の柱側突起部５３ｂ（装着部材５８）の側面に重なっている。
【００７２】
隙間断熱部４８ａは、上ランナ４３及び下ランナ４４よりも屋内側には突出しておらず、隙間スタッド４７Ｂからは屋外側に離間している。隙間断熱部４８ａにおいては、柱側断熱部４８ｂ側の側面が柱１３の側面に重ねられているとともに、縦枠部５２ａの側面に重ねられており、柱１３と縦枠部５２ａとの間に断熱性を付与している。ここで、連結部材６１のスタッド側固定部６２は、隙間断熱部４８ａから屋内側に離間している。この場合、例えばスタッド側固定部６２が柱１３と隙間断熱部４８ａとの間に入り込んでいる構成とは異なり、隙間断熱部４８ａによる断熱性能がスタッド側固定部６２により低下するということがない。
【００７３】
隙間スタッド４７Ｂを柱１３に固定する作業手順について簡単に説明する。
【００７４】
まず、柱１３の屋外側面に連結部材６１の柱側固定部６３を重ね、その状態で第２ビス６６をビス孔６３ａから柱１３に打ち込むことにより、連結部材６１を柱１３に固定する。ここでは、壁幅方向において、あらかじめ窓枠５２及び隙間スタッド４７Ｂの設置位置を定めておき、スタッド側固定部６２が隙間スタッド４７Ｂの側面に当接するように、柱１３に対する連結部材６１の固定位置を決定する。
【００７５】
そして、スタッド側固定部６２の側面に当接する位置に隙間スタッド４７Ｂを配置し、第１ビス６５を隙間スタッド４７Ｂ側からスタッド側固定部６２に向けて第１ビス６５を打ち込む。ここでは、壁厚み方向において、あらかじめ内壁面材４１の設置位置を定めておき、隙間スタッド４７Ｂの屋内側側面が内壁面材４１の屋外側面に当接するように、連結部材６１に対する隙間スタッド４７Ｂの固定位置を決定する。この場合、スタッド側固定部６２のビス孔６２ａが壁厚み方向に沿って延びているため、第１ビス６５を打ち込む際に、スタッド側固定部６２に対する隙間スタッド４７Ｂの位置調整を容易に行うことができる。
【００７６】
連結部材６１を用いて隙間スタッド４７Ｂを柱１３に固定した後、その隙間スタッド４７Ｂに対して内壁面材４１や縦枠部５２ａをビス等により固定する。
【００７７】
以上詳述した本実施形態によれば、以下の優れた効果が得られる。
【００７８】
サッシ枠５１が有する一対の突起部５３ａ，５３ｂの間に窓枠５２の縦枠部５２ａが嵌合しているため、その縦枠部５２ａをサッシ枠５１により好適に位置保持することができる。しかも、縦枠部５２ａが一対の突起部５３ａ，５３ｂの間に嵌合するように、一対の突起部５３ａ，５３ｂの離間距離が装着部材５８により調整されているため、例えば、サッシ枠５１や窓枠５２が汎用品である場合や、別々のメーカにより製造されたものである場合など、縦枠部５２ａと一対の突起部５３ａ，５３ｂが互いに適合しない場合でも、縦枠部５２ａを一対の突起部５３ａ，５３ｂに嵌合させることが可能になる。したがって、窓枠５２の縦枠部５２ａをサッシ枠５１の縦枠部５１ａにより好適に位置保持することができる。
【００７９】
柱側突起部５３ｂの装着部材５８と柱１３との間に隙間断熱部４８ａが押し込まれた状態になっていることで、隙間断熱部４８ａが柱側突起部５３ｂの装着部材５８及び柱１３の両方に当接しているため、窓枠５２と柱１３との間に隙間が確保されていても、その隙間が非断熱領域にならないようになっている。したがって、窓枠５２の縦枠部５２ａがサッシ枠５１により位置保持されている構成において、外壁部１１の断熱性能が低下することを抑制できる。
【００８０】
壁断熱部４８においては、隙間断熱部４８ａ及び柱側断熱部４８ｂといった２つの断熱部材が壁幅方向に並べて配置されているため、柱１３の屋外側に配置された１つの断熱部材が柱側突起部５３ｂと柱１３との間に入り込んでいる構成に比べて、隙間断熱部４８ａ及び柱側断熱部４８ｂが柱側突起部５３ｂや柱１３の各側面に密着しやすくなっている。したがって、壁断熱部４８による外壁部１１の断熱性能を高めることができる。
【００８１】
窓枠５２がサッシ枠５１の一対の突起部５３ａ，５３ｂにより位置保持されているだけでは、窓枠５２の設置状態の安定性が不足することが懸念されるが、窓枠５２が柱１３に対して固定されているため、窓枠５２の設置状態の安定性を高めることができる。また、窓枠５２と柱１３との間に壁断熱部４８が入り込んでいる構成においては、窓枠５２を柱１３に固定できないことが懸念されるが、これに対しても、窓枠５２と柱１３との間に隙間スタッド４７Ｂが設けられているため、その隙間スタッド４７Ｂを介して窓枠５２を柱１３に対して適正な状態で固定することができる。
【００８２】
隙間スタッド４７Ｂは、内壁面材４１が取り付けられていることに起因して、壁厚み方向において屋内寄りの位置に配置されているため、窓枠５２の縦枠部５２ａにおける屋内寄りの部分を支持していることになるが、この場合でも、縦枠部５２ａにおける屋外側端部がサッシ枠５１の一対の突起部５３ａ，５３ｂにより位置保持されていることで、窓枠５２の設置状態の安定性を高めることができる。
【００８３】
柱側突起部５３ｂにおいては、凸部５７に装着部材５８が装着されていることで、窓側突起部５３ａと装着部材５８との離間距離が、窓側突起部５３ａと凸部５７との離間距離Ｌ２よりも小さい窓枠５２の縦枠部５２ａの幅寸法Ｌ１と同じになっているため、縦枠部５２ａが一対の突起部５３ａ，５３ｂの間に嵌合する構成を実現できる。つまり、窓側突起部５３ａと凸部５７との離間距離Ｌ２が縦枠部５２ａの幅寸法Ｌ１より大きい場合でも、サッシ枠５１により窓枠５２の縦枠部５２ａを位置保持することができる。
【００８４】
柱側突起部５３ｂが装着部材５８を有している一方で、窓側突起部５３ａが装着部材５８を有していないため、窓枠５２の縦枠部５２ａにより装着部材５８を窓部１２側から覆い隠すことができる。したがって、窓部１２の意匠性が装着部材５８により低下するということを抑制できる。
【００８５】
［他の実施形態］
本発明は上記実施形態の記載内容に限定されず、例えば次のように実施されてもよい。
【００８６】
（１）外壁部１１には間仕切壁が接続されていてもよい。例えば、図５、図６に示すように、外壁部１１に直交する間仕切壁７１が外壁部１１に接続された構成とする。図５は外壁部１１と間仕切壁７１との接続部分の横断面図、図６は外壁部１１及び間仕切壁７１の斜視図である。なお、図６においては、外壁フレーム３５、内壁面材４１、窓枠５２、サッシ枠５１及び間仕切壁面材７２の図示を省略している。また、図５は、図６のＢ−Ｂ線断面図になっている。
【００８７】
この構成では、間仕切壁７１は、互いに対向する一対の間仕切壁面材７２と、それら間仕切壁面材７２の間に設けられた間仕切壁下地７３とを有しており、その屋外側端面が外壁部１１の屋内面に接続されている。間仕切壁７１と外壁部１１との接続部分においては、外壁部１１の内壁面材４１に接続用開口部７５が設けられており、その接続用開口部７５を介して外壁部１１の内壁下地４２と間仕切壁７１の間仕切壁下地７３とが連結されている。また、間仕切壁７１の間仕切壁面材７２の屋外側端面は、外壁部１１の内壁面材４１の屋内面に重ねられている。
【００８８】
また、柱１３は、ラチス柱に含まれている。ラチス柱は、壁幅方向において所定間隔で配置された一対の柱１３と、それら柱１３を連結するラチス７７とを有している。外壁部１１の内部にラチス７７が設けられている構成においては、柱側断熱部４８ｂが、柱１３の屋外側だけでなくラチス７７の屋外側にも設けられている。また、内壁下地４２はラチス７７の屋内側に設けられており、その内壁下地４２の厚み寸法は、上記実施形態の内壁下地４２の厚み寸法に比べて小さくされている。例えば、ラチス７７の屋内側に設けられたスタッド４７の厚み寸法は、隙間スタッド４７Ｂの厚み寸法よりも小さくされている（例えば２５ｍｍ）。
【００８９】
（２）上記実施形態では、柱側突起部５３ｂにおいては、装着部材５８の凹部５８ａに凸部５７が挿入されることで、装着部材５８が凸部５７を屋内側から覆った状態になっているが、装着部材５８は、その少なくとも一部が窓側突起部５３ａと柱側突起部５３ｂの凸部５７の間に配置される状態で、凸部５７に装着されていればよい。例えば、装着部材５８が、壁幅方向において凸部５７に横並びに配置され、その状態で凸部５７に固定されている構成とする。
【００９０】
（３）上記実施形態では、窓側突起部５３ａが装着部材５８を有していないが、窓側突起部５３ａは、サッシ枠５１の縦枠部５１ａから屋内側に向けて延びた凸部と、その凸部に装着された装着部材とを含んで構成されていてもよい。この場合、窓側突起部５３ａに含まれる装着部材が、窓側突起部５３ａと柱側突起部５３ｂとの離間距離を、窓側突起部５３ａの凸部と柱側突起部５３ｂとの離間距離よりも小さくしている調整部に相当する。したがって、一対の突起部５３ａ，５３ｂのうち少なくとも一方が、調整部としての装着部材を有していればよいことになる。
【００９１】
（４）柱側突起部５３ｂにおいては、装着部材５８が凸部５７に沿って上下方向に延びていたが、装着部材５８は、上下方向に沿って所定間隔で複数並べて設けられていてもよい。この場合、上下方向において、装着部材５８が設けられている部分と設けられていない部分とで、一対の突起部５３ａ，５３ｂの離間距離が異なることになるが、装着部材５８が設けられている部分において、一対の突起部５３ａ，５３ｂにより窓枠５２の縦枠部５２ａの位置保持を行うことができる。
【００９２】
（５）上記実施形態では、窓枠５２の縦枠部５２ａの幅寸法Ｌ１が、柱側突起部５３ｂの凸部５７と窓側突起部５３ａとの離間距離Ｌ２よりも小さくされていたが、縦枠部５２ａの幅寸法Ｌ１は、凸部５７と窓側突起部５３ａとの離間距離Ｌ２より大きくされていてもよい。つまり、Ｌ１＜Ｌ２ではなく、Ｌ１＞Ｌ２でもよい。例えば、図７に示すように、縦枠本体５５ａの凸部５７に装着部材５８が装着されておらず、凸部５７が柱側突起部５３ｂになっており、縦枠部５２ａの幅寸法Ｌ１が一対の突起部５３ａ，５３ｂの離間距離Ｌ２よりも大きい構成とする。
【００９３】
窓枠５２の縦枠部５２ａには、屋内側に向けて凹んだ凹み部７８が形成されており、縦枠部５２ａにおいては、壁幅方向に沿って凹み部７８に横並びに配置されている部分が横並び部７９になっている。凹み部７８は、屋外側に加えて、窓部１２とは反対側（柱１３側）に向けて開放された切り欠き部になっており、壁高さ方向に沿って延びている。サッシ枠５１の一対の突起部５３ａ，５３ｂの間には、窓枠５２の横並び部７９が屋内側から入り込んでおり、横並び部７９が入り込み部に相当する。横並び部７９の幅寸法は、一対の突起部５３ａ，５３ｂの離間距離Ｌ２と同じ又はそれよりも若干大きくされており、横並び部７９は、一対の突起部５３ａ，５３ｂの間に嵌め込まれた状態になっている。この場合、柱側突起部５３ｂは、窓枠５２の凹み部７８に差し入れられた状態になっている。
【００９４】
縦枠部５２ａに凹み部７８が形成されていることで、縦枠部５２ａの幅寸法Ｌ１が一対の突起部５３ａ，５３ｂの離間距離Ｌ２より大きい場合でも、窓枠５２の縦枠部５２ａの横並び部７９（屋外側端部）をサッシ枠５１の一対の突起部５３ａ，５３ｂの間に嵌合させることができる。つまり、縦枠部５２ａがサッシ枠５１により位置保持される構成を凹み部７８により実現できる。しかも、凹み部７８は横並び部７９を挟んで窓部１２とは反対側に配置されているため、凹み部７８が窓部１２側に露出しないようになっている。これにより、窓部１２の意匠性が窓枠５２の凹み部７８により低下するということを抑制できる。
【００９５】
また、上記実施形態とは異なり、窓枠５２の縦枠部５２ａの側面には隙間断熱部４８ａの側面が重ねられている。つまり、縦枠部５２ａと隙間断熱部４８ａとは当接している。このため、装着部材５８が縦枠部５２ａと隙間断熱部４８ａとの間に入り込んでいなくても、縦枠部５２ａと隙間断熱部４８ａとの境界部において外壁部１１の断熱性能が低下するということが抑制されている。凹み部７８は、壁厚み方向において隙間断熱部４８ａの屋内側端部よりも屋外側に配置されており、隙間断熱部４８ａは、凹み部７８の内部には入り込んでいない。
【００９６】
なお、隙間断熱部４８ａは、凹み部７８の内部に入り込んだ状態で設けられていてもよい。特に、凹み部７８が、壁厚み方向において隙間断熱部４８ａよりも屋内側まで延びている場合、その隙間断熱部４８ａが凹み部７８の内周面に当接していることが好ましい。これにより、窓枠５２の横並び部７９と隙間断熱部４８ａとの間の隙間により外壁部１１の断熱性能が低下するということを抑制できる。
【００９７】
また、凹み部７８は、壁幅方向において窓部１２とは反対側に向けて開放されていなくてもよい。例えば、凹み部７８を挟んで両側に横並び部７９が配置されており、それら横並び部７９のうち一方が一対の突起部５３ａ，５３ｂの間に入り込んだ入り込み部になっていてもよい。ちなみに、２つの横並び部７９のうち窓部１２側に配置された横並び部７９が一対の突起部５３ａ，５３ｂの間に入り込んでいることが好ましい。これは、凹み部７８が被覆部材５５ｂ（窓側突起部５３ａ）よりも窓部１２側に露出し、窓部１２の意匠性が凹み部７８により低下することが懸念されるためである。
【００９８】
凹み部７８は、壁厚み方向において窓部１２側に向けて開放された切り欠き部になっていてもよい。この場合でも、窓枠５２の横並び部７９をサッシ枠５１の一対の突起部５３ａ，５３ｂの間に嵌合させることは可能である。
【００９９】
窓枠５２の縦枠部５２ａに凹み部７８が形成されている場合でも、柱側突起部５３ｂの凸部５７に装着部材５８が装着されていてもよい。つまり、一対の突起部５３ａ，５３ｂの離間距離Ｌ２を小さくしている調整部としての装着部材５８と、窓枠５２の横並び部７９（入り込み部）の幅寸法を小さくしている調整部としての凹み部７８との両方が設けられていてもよい。
【０１００】
（６）上記実施形態では、隙間断熱部４８ａは、壁幅方向において窓枠５２の縦枠部５２ａから離間しているが、柱側突起部５３ｂよりも屋内側において窓枠５２の縦枠部５２ａに当接していてもよい。この場合、隙間断熱部４８ａと窓枠５２の縦枠部５２ａとの間において外壁部１１の断熱性能が低下することをより確実に抑制できる。
【０１０１】
（７）上記実施形態では、壁断熱部４８が、隙間断熱部４８ａ、柱側断熱部４８ｂ及び主断熱部４８ｃが横並びに配置されることで形成されていたが、壁断熱部４８は、壁幅方向に沿って延びる１つの断熱部が柱１３と窓枠５２との間に入り込んだ状態で設置されたものであってもよい。
【０１０２】
（８）上記実施形態では、隙間スタッド４７Ｂが窓枠５２よりも上方及び下方に向けて突出していたが、隙間スタッド４７Ｂは、上方及び下方の少なくとも一方について窓枠５２よりも突出していなくてもよい。例えば、図８に示すように、隙間スタッド４７Ｂが、窓枠５２よりも上方及び下方の両方について突出していない構成とする。この構成では、隙間スタッド４７Ｂが上側中間ランナ４５と下側中間ランナ４６との間に設けられている。
【０１０３】
柱１３と窓枠５２との間には、上側中間ランナ４５の下側に設けられた上側接続ランナ８１と、下側中間ランナ４６の上側に設けられた下側接続ランナ８２とが設けられており、隙間スタッド４７Ｂは、これら接続ランナ８１，８２に掛け渡された状態になっている。上側接続ランナ８１は、溝部を下方に向けた状態で上側中間ランナ４５の下面に固定されており、下側接続ランナ８２は、溝部を上方に向けた状態で下側中間ランナ４６の上面に固定されている。
【０１０４】
隙間スタッド４７Ｂは、上ランナ４３及び下ランナ４４に固定された構成と同じように、接続ランナ８１，８２の溝部内に入り込んだ状態で溶接等により接続ランナ８１，８２に固定されている。ここで、接続ランナ８１，８２は、ランナ４３〜４６よりも壁厚み方向における厚み寸法が隙間スタッド４７Ｂの厚み寸法に合わせて小さくされている。この場合、接続ランナ８１，８２においては、一対のフランジの両方に対して隙間スタッド４７Ｂの側面が重ねられており、その重ねられた部分が溶接等により固定されている。これにより、隙間スタッド４７Ｂは、接続ランナ８１，８２を介して中間ランナ４５，４６に強固に固定されていることになる。
【０１０５】
なお、隙間スタッド４７Ｂの上方及び下方には短尺スタッド４７Ａが設置されており、この短尺スタッド４７Ａと隙間スタッド４７Ｂとは上下に並べて配置されている。
【０１０６】
また、隙間スタッド４７Ｂは、窓枠５２よりも上方及び下方のうち一方にだけ突出していてもよい。例えば、隙間スタッド４７Ｂが窓枠５２の上方に突出している場合、その隙間スタッド４７Ｂは、上ランナ４３と下側接続ランナ８２に掛け渡されていることが好ましい。また、隙間スタッド４７Ｂが窓枠５２の下方に突出している場合、その隙間スタッド４７Ｂは、下ランナ４４と上側接続ランナ８１に掛け渡されていることが好ましい。
【０１０７】
（９）上記実施形態では、内壁面材４１の固定対象である隙間スタッド４７Ｂが柱１３と窓枠５２との間の隙間に設けられていたが、柱１３と窓枠５２との間の隙間には、内壁面材４１の固定対象ではない隙間部材が設けられていてもよい。つまり、内壁下地４２を構成していない隙間部材が設けられていてもよい。例えば、柱１３に取り付けられ、窓枠５２を支持する支持ブラケットが、柱１３と窓枠５２との間の隙間に設けられている構成とする。
【０１０８】
（１０）上記実施形態では、連結部材６１において、柱側固定部６３のビス孔６３ａが壁幅方向に沿って延びた長孔とされていたが、スタッド側固定部６２のビス孔６２ａが壁厚み方向に沿って延びた長孔とされていてもよい。
【０１０９】
（１１）上記実施形態では、連結部材６１のスタッド側固定部６２が柱１３と隙間スタッド４７Ｂとの間に入り込んでいたが、スタッド側固定部６２は、柱１３と隙間スタッド４７Ｂとの間に入り込んでいなくてもよい。例えば、スタッド側固定部６２が、隙間スタッド４７Ｂの屋内側や屋外側に配置された構成とする。スタッド側固定部６２が、隙間スタッド４７Ｂの屋内側に配置されている場合、そのスタッド側固定部６２は、隙間スタッド４７Ｂにおける屋内側面に重ねられており、その重ねられた部分が溶接等により固定されている。この場合、スタッド側固定部６２は、隙間スタッド４７Ｂと内壁面材４１との間に挟まった状態になっている。
【０１１０】
（１２）連結部材６１の柱側固定部６３は、柱１３における屋外側面に重ねられていてもよい。また、連結部材６１においては、柱側固定部６３が柱１３の屋内側及び屋外側のそれぞれに設けられていてもよい。例えば、連結部材６１が、スタッド側固定部６２を挟んで対向する一対の柱側固定部６３を有していてもよい。
【０１１１】
（１３）連結部材６１の柱側固定部６３は、柱１３と隙間スタッド４７Ｂとの間に配置されていてもよい。この場合、スタッド側固定部６２は、柱１３と隙間スタッド４７Ｂとの間ではなく、隙間スタッド４７Ｂの屋内側や屋外側に配置されていることが好ましい。
【０１１２】
（１４）連結部材６１のスタッド側固定部６２は、内壁下地４２よりも屋外側に突出していてもよい。この場合でも、スタッド側固定部６２が柱１３と隙間断熱部４８ａとの間に入り込んでいないことが、外壁部１１の断熱性能を保持する上で好ましい。
【０１１３】
（１５）連結部材６１においては、スタッド側固定部６２のビス孔６２ａが水平方向に対して斜めに傾斜した方向に延びていてもよい。また、ビス孔６２ａは、長孔ではなく丸孔でもよい。また、連結部材６１においては、柱側固定部６３のビス孔６３ａが壁厚み方向に沿って延びた長孔とされていてもよい。
【０１１４】
（１６）上記実施形態では、隙間スタッド４７Ｂと連結部材６１のスタッド側固定部６２とは第１ビス６５を用いてビス固定されていたが、隙間スタッド４７Ｂとスタッド側固定部６２とは、ボルト固定されていてもよい。例えば、隙間スタッド４７Ｂにおける連結部材６１側の側面部にボルト孔が形成されており、そのボルト孔に隙間スタッド４７Ｂの中空部側からボルトが挿し入れられ、そのボルトが、連結部材６１のスタッド側固定部６２を挟んで隙間スタッド４７Ｂとは反対側に配置されたナットに羅着された構成とする。この構成では、ボルトをスタッド側固定部６２のビス孔６２ａの挿通した状態で壁厚み方向に移動させることで、柱１３に対するスタッド側固定部６２の位置を壁厚み方向に沿って調整することが容易になっている。
【０１１５】
（１７）連結部材６１は、柱１３及び隙間スタッド４７Ｂに沿って上下方向に延びていてもよい。例えば、連結部材６１が、隙間スタッド４７Ｂとほぼ同じ長さ寸法を有し、上ランナ４３と下ランナ４４とに掛け渡され状態になっている構成とする。
【０１１６】
（１８）窓部１２が壁開口部とされているのではなく、玄関口等の出入口が壁開口部とされていてもよい。この場合でも、出入口に出入口枠等の開口枠が取り付けられていることで、その開口枠の縦枠部と柱との間に隙間スタッドを設けた構成を実現できる。
【０１１７】
（１９）外壁部１１が壁部とされているのではなく、屋内空間を仕切る間仕切壁部が壁部とされていてもよい。この場合でも、間仕切壁部の壁開口部に開口枠が取り付けられていることで、その開口枠の縦枠部と柱との間に隙間スタッドを設けた構成を実現できる。
【符号の説明】
【０１１８】
１１…外壁部、１２…壁開口部としての窓部、１３…柱、３１…外壁パネル、３２…内壁パネル、３４…壁面材としての外壁面材、３５…外壁下地としての外壁フレーム、４１…壁面材としての内壁面材、４２…内壁下地、４７…スタッド、４７Ｂ…隙間部材としての隙間スタッド、４８…壁断熱部、４８ａ…壁断熱部を構成する隙間断熱部、４８ｂ…壁断熱部を構成する柱側断熱部、５１…サッシ枠、５１ａ…縦枠部、５２…開口枠としての窓枠、５２ａ…入り込み部を有する縦枠部、５３ａ…第１突起部としての窓側突起部、５３ｂ…第２突起部としての柱側突起部、５７…凸部、５８…調整部としての装着部材、７８…調整部としての凹み部、７９…入り込み部としての横並び部。
【図１】
2014189984.tif 000003
【図２】
2014189984.tif 000004
【図３】
2014189984.tif 000005
【図４】
2014189984.tif 000006
【図５】
2014189984.tif 000007
【図６】
2014189984.tif 000008
【図７】
2014189984.tif 000009
【図８】
2014189984.tif 000010